(57)【要約】【課題】  様々な配線形態ならびに伝送媒体を含む伝送路に対しても単一の機器による広い適用を可能とする受信データ補償装置を提供する【解決手段】  物理層を構成する受信回路と受信データを利用する処理装置との間に介在されるものであって、受信回路の出力側に互いに並列に設けられ、それぞれ特性の異なるフィルタリング機能並びにサンプリング機能を有する複数の前処理部と、前記複数の前処理部のそれぞれの後段にあって、プロトコルのフレームフォーマットにしたがったデータの信頼性チェックを少なくとも実行する複数のチェック部と、前記複数のチェック部の後段にあって、チェック部で処理されたデータを蓄積する複数のバッファ部と、前記複数のチェック部におけるチェック結果を監視すると共に、チェック結果がＯＫであるバッファ部のデータを選択して出力するデータセレクタとを具備する、ことを特徴とする受信データ補償装置【選択図】  図１
2006287665.tif 000002
【特許請求の範囲】
【請求項１】
物理層を構成する受信回路と受信データを利用する処理装置との間に介在されるものであって、
受信回路の出力側に互いに並列に設けられ、それぞれ特性の異なるフィルタリング機能並びにサンプリング機能を有する複数の前処理部と、
前記複数の前処理部のそれぞれの後段にあって、プロトコルのフレームフォーマットにしたがったデータの信頼性チェックを少なくとも実行する複数のチェック部と、
前記複数のチェック部の後段にあって、チェック部で処理されたデータを蓄積する複数のバッファ部と、
前記複数のチェック部におけるチェック結果を監視すると共に、チェック結果がＯＫであるバッファ部のデータを選択して出力するデータセレクタとを具備する、ことを特徴とする受信データ補償装置。
【請求項２】
前記データセレクタは、前記チェック部におけるチェック結果に基づいて複数のバッファ部のデータがチェックＯＫと判定されるときには、予め設定された優先度にしたがったそれらのデータの１つを選択して出力する、ことを特徴とする請求項１に記載の受信データ補償装置。
【請求項３】
前記複数のチェック部のそれぞれから得られる受信状態のＯＫおよび／またはＮＧをカウントする受信状態カウンタをさらに具備すると共に、
前記データセレクタは、複数の受信状態カウンタのカウント値に基づいて、優先順位を再設定する、ことを特徴とする請求項２に記載の受信データ補償装置。
【請求項４】
チェック部は、データが伝送路符号化されているときには、その復号化処理も行うことを特徴とする請求項１〜３のいずれかに記載の受信データ補償装置。
【請求項５】
プログラマブル・コントローラの通信マスタユニットにおいて、
物理層を構成する受信回路の後段に、
受信回路の出力側に互いに並列に設けられ、それぞれ特性の異なるフィルタリング機能並びにサンプリング機能を有する複数の前処理部と、
前記複数の前処理部のそれぞれの後段にあって、プロトコルのフレームフォーマットにしたがったデータの信頼性チェックを少なくとも実行する複数のチェック部と、
前記複数のチェック部の後段にあって、チェック部で処理されたデータを蓄積する複数のバッファ部と、
前記複数のチェック部におけるチェック結果を監視すると共に、チェック結果がＯＫであるバッファ部のデータを選択して出力するデータセレクタとを具備する、ことを特徴とするプログラマブル・コントローラの通信マスタユニット。
【請求項６】
前記データセレクタは、前記チェック部におけるチェック結果に基づいて複数のバッファ部のデータがチェックＯＫと判定されるときには、予め設定された優先度にしたがったそれらのデータの１つを選択して出力する、ことを特徴とする請求項５に記載のプログラマブル・コントローラの通信マスタユニット。
【請求項７】
前記複数のチェック部のそれぞれから得られる受信状態のＯＫおよび／またはＮＧをカウントする受信状態カウンタをさらに具備すると共に、
前記データセレクタは、複数の受信状態カウンタのカウント値に基づいて、優先順位を再設定する、ことを特徴とする請求項６に記載のプログラマブル・コントローラの通信マスタユニット。
【請求項８】
チェック部は、データが伝送路符号化されているときには、その復号化処理も行うことを特徴とする請求項５〜７のいずれかに記載のプログラマブル・コントローラの通信マスタユニット。
【請求項９】
プログラマブル・コントローラのスレーブユニットにおいて、
物理層を構成する受信回路の後段に、
受信回路の出力側に互いに並列に設けられ、それぞれ特性の異なるフィルタリング機能並びにサンプリング機能を有する複数の前処理部と、
前記複数の前処理部のそれぞれの後段にあって、プロトコルのフレームフォーマットにしたがったデータの信頼性チェックを少なくとも実行する複数のチェック部と、
前記複数のチェック部の後段にあって、チェック部で処理されたデータを蓄積する複数のバッファ部と、
前記複数のチェック部におけるチェック結果を監視すると共に、チェック結果がＯＫであるバッファ部のデータを選択して出力するデータセレクタとを具備する、ことを特徴とするプログラマブル・コントローラのスレーブユニット。
【請求項１０】
前記データセレクタは、前記チェック部におけるチェック結果に基づいて複数のバッファ部のデータがチェックＯＫと判定されるときには、予め設定された優先度にしたがったそれらのデータの１つを選択して出力する、ことを特徴とする請求項９に記載のプログラマブル・コントローラのスレーブユニット。
【請求項１１】
前記複数のチェック部のそれぞれから得られる受信状態のＯＫおよび／またはＮＧをカウントする受信状態カウンタをさらに具備すると共に、
前記データセレクタは、複数の受信状態カウンタのカウント値に基づいて、優先順位を再設定する、ことを特徴とする請求項１０に記載のプログラマブル・コントローラのスレーブユニット。
【請求項１２】
チェック部は、データが伝送路符号化されているときには、その復号化処理も行うことを特徴とする請求項９〜１１のいずれかに記載のプログラマブル・コントローラのスレーブユニット。
【請求項１３】
上位側通信回線からの物理層としての受信回路の後段、および／または、下位側通信回路からの物理層としての受信回路の後段に、
受信回路の出力側に互いに並列に設けられ、それぞれ特性の異なるフィルタリング機能並びにサンプリング機能を有する複数の前処理部と、
前記複数の前処理部のそれぞれの後段にあって、プロトコルのフレームフォーマットにしたがったデータの信頼性チェックを少なくとも実行する複数のチェック部と、
前記複数のチェック部の後段にあって、チェック部で処理されたデータを蓄積する複数のバッファ部と、
前記複数のチェック部におけるチェック結果を監視すると共に、チェック結果がＯＫであるバッファ部のデータを選択して出力するデータセレクタとを具備する、ことを特徴とするリピータ。
【請求項１４】
前記データセレクタは、前記チェック部におけるチェック結果に基づいて複数のバッファ部のデータがチェックＯＫと判定されるときには、予め設定された優先度にしたがったそれらのデータの１つを選択して出力する、ことを特徴とする請求項１３に記載のリピータ。
【請求項１５】
前記複数のチェック部のそれぞれから得られる受信状態のＯＫおよび／またはＮＧをカウントする受信状態カウンタをさらに具備すると共に、
前記データセレクタは、複数の受信状態カウンタのカウント値に基づいて、優先順位を再設定する、ことを特徴とする請求項１４に記載のリピータ。
【請求項１６】
チェック部は、データが伝送路符号化されているときには、その復号化処理も行うことを特徴とする請求項１３〜１５のいずれかに記載のリピータ。
【発明の詳細な説明】
【技術分野】
【０００１】
本発明は、物理層を構成する受信回路と受信データを利用する処理装置との間に介在されて、受信データを修復する機能を有する受信データ補償装置に関するものである。
【背景技術】
【０００２】
従来の受信データ補償回路の構成図が図８に示されている。同図に示されるように、この受信データ補償装置１００Ａは、物理層を構成する受信ＩＣの後段に設けられるものであって、この例にあっては、前処理部１とチェック部２とを備えている。なお、受信ＩＣ２００はプリント配線板（ＰＷＢ）の上に搭載されており、受信データ補償装置１００Ａは、ＡＳＩＣ、ＦＰＧＡ、またはマイコンなどによって適宜構成することができる。受信ＩＣ２００としては、例えばアナログデバイセスのＡＤ４８５などを使用することができる。
【０００３】
同図において、通信伝送路から受信ＩＣを介して取得されたデジタル信号は、受信データ補償装置１００へと受け渡される。前処理部１は、フィルタリング機能とサンプリング機能とを有する。ここで用いられるサンプリング回路の一例が図９に示されている。この回路は、本出願人が先に、特開２００４−２２１９０５号公報により開示したものである。
【０００４】
同図に示されるように、このサンプリング回路は、互いに従属接続された３個のＤ型フリップフロップＤＦＦ１〜ＤＦＦ３と、その後段に配置された第１のセレクタＳＥＬ１と、その後段に配置されたＤ型フリップフロップＤＦＦ４と、その後段に配置された第２のセレクタＳＥＬ２と、その後段に配置されたＤ型フリップフロップＤＦＦ５と、それらのＤ型フリップフロップＤＦＦ１〜ＤＦＦ５の各Ｑ出力を監視し、それらＱ出力に基づいて、第１および第２のセレクタＳＥＬ１，ＳＥＬ２に対して切替信号Ｓ１およびＳ２を与えることによって、図１０に示されるように、様々なノイズ成分を含むデジタル信号を修復するものである。
【０００５】
チェック部２は、ＣＲＣ、パリティ、ストップ、符号則など、プロトコルのフレームフォーマットに従ったデータの信頼性チェックを行う。さらに、チェック部２では、伝送路符号化した場合には、復号化も行う。こうしてチェック部２を通過した補償済み受信データ（ＣＤ）は、チェック結果信号Ｓ１と共に、データ処理装置へ送られ、その利用に供される（例えば、特許文献１参照）。
【特許文献１】特開平５−１３０１５１号公報
【発明の開示】
【発明が解決しようとする課題】
【０００６】
しかしながら、このような従来の受信データ補償装置にあっては、前処理部１に含まれるフィルタリング回路は１つの特性に固定されていたため、マスタユニットとスレーブユニットとを通信を介して結ぶようなＰＬＣシステムにおいては、使い勝手が悪いという問題点が指摘されている。
【０００７】
すなわち、この種のＰＬＣシステムにおいては、その通信経路上において、ディジチェーン（マルチドロップ）、ブランチ、スタート（分岐）などの様々な配線形態が混在し、しかも様々な伝送媒体（特性の異なる電気ケーブル、接続コネクタ）が使用されるため、伝送路における信号の反射や減衰状態が異なる。これを、１つの特性に固定されたフィルタ回路で受信した場合、同じボーレイトでは配線形態と転送媒体を１つに特定したときと比べ、配線長さや接続台数といった通信配線仕様が低下する。これを配線性能の向上により解決しようとすると、同一機能の機器であるにも拘わらず、ケーブルや配線形態毎にＩＣ（１つのフィルタ回路を含むもの）や提供する機器そのものを複数形式で用意せねばならず、開発料そのもの、開発管理コストが増大する。
【０００８】
この発明は、このような従来の問題点に着目してなされたものであり、その目的とするところは、様々な配線形態ならびに伝送媒体を含む伝送路に対しても単一の機器による広い適用を可能とする受信データ補償装置を提供することにある。
【０００９】
この発明のさらに他の目的ならびに作用効果については、明細書の以下の記述を参照することにより、当業者であれば容易に理解されるであろう。
【課題を解決するための手段】
【００１０】
この発明は上述の問題点を解決するために、次のような構成を採用する。すなわち、本発明の受信データ補償装置は、物理層を構成する受信回路と受信データを利用する処理装置との間に介在されるものであって、受信回路の出力側に互いに並列に設けられ、それぞれ特性の異なるフィルタリング機能ならびにサンプリング機能を有する複数の前処理部と、前記複数の前処理部のそれぞれの後端にあって、プロトコルのフレームフォーマットに従ったデータの信頼性チェックを少なくとも実行する複数のチェック部と、前記複数のチェック部の後段にあって、チェック部で処理されたデータを蓄積する複数のバッファ部と、前記複数のバッファ部におけるチェック結果を監視すると共に、チェック結果がＯＫであるバッファ部のデータを選択して出力するデータセレクタとを具備することを特徴とするものである。
【００１１】
このような構成によれば、物理層を構成する受信回路から得られる受信データは、それぞれ特性の異なるフィルタリング機能ならびにサンプリング機能を有する複数の前処理部によって同時に処理されるため、伝送路の品質が様々に異なる場合であっても、複数に設けられた前処理部のいずれかがそれに対応することによって、同一仕様の１台の機器であっても、様々な伝送路への適用が可能となる。
【００１２】
好ましい実施の形態においては、前記データセレクタは、前記チェック部におけるチェック結果に基づいて複数のバッファ部のデータがチャックＯＫと判定されるときには、あらかじめ設定された優先度に従ってそれらのデータの１つを選択して出力するようにしてもよい。
【００１３】
このような構成によれば、伝送路の品質が良好であったり、配線形態が単純である結果、複数のバッファにおいて良好なデータが得られる場合にも、その選択に迷うことなく、最適なデータを確実に取得することができる。
【００１４】
また、好ましい実施の形態においては、前記複数のチェック部のそれぞれから得られる受信状態のＯＫおよび／またはＮＧをカウントする受信状態カウンタをさらに具備し、前記データセレクタは、複数の受信状態カウンタのカウント値に基づいて、優先順位を再設定するようにしてもよい。
【００１５】
このような構成によれば、任意の伝送媒体に適用する場合においても、しばらくのならし期間を通じて、複数系統存在する処理系の中で最適な処理系については特にＯＫとなる頻度が高くなるため、それらの情報を考慮することによって、より一層適切な処理系を自動的に探し出すこともできる。
【００１６】
好ましい実施の形態においては、チェック部は、データが伝送路符号化されているときには、その符号化処理も行うようにしてもよい。
【００１７】
以上説明した本発明の受信データ補償装置は、ＰＬＣシステムに広く適用が可能である。すなわち、ＰＬＣシステムを構成するマスタユニット、スレーブユニット、リピータなどのそれぞれに本発明は、物理層を構成する受信回路の後段に配置することによって、それぞれの回線適合度を向上させることができる。
【発明の効果】
【００１８】
本発明によれば、物理層を構成する受信回路から得られた受信データは、その出力側に互いに並列に設けられ、かつそれぞれ特性の異なるフィルタリング機能ならびにサンプリング機能を有する複数の前処理部によって同時に処理されるため、伝送路の品質や配線形態がいかなるものであっても、その特性にいずれかの処理系が適合することによって、１台の受信処理装置であっても、様々な品質の伝送媒体ならびに配線形態の適合が可能となり、この種の受信装置の使い勝手が向上する。
【発明を実施するための最良の形態】
【００１９】
以下に、本発明に係る受信データ補償装置の実施の一形態を添付図面を参照しながら詳細に説明する。本発明装置の構成図（第１実施形態）が図１に示されている。
【００２０】
同図に示されるように、本発明に係る受信データ補償装置１００は、物理層を構成する受信ＩＣ２００の後段に設けられる。受信ＩＣ２００としては、例えばＲＳ４８５仕様のものを利用することができ、より具体的にはアナログデバイセスのＡＤ４８５などが好適である。この例では、受信ＩＣ２００はプリント配線基板上に搭載されている。
【００２１】
一方、本発明の受信データ補償装置１００は、次のような構成を有する。すなわち、本発明の受信データ補償装置１００は、受信ＩＣ２００の出力側に互いに並列に設けられ、それぞれ特性の異なるフィルタリング機能ならびにサンプリング機能を有する複数の前処理部１１，１２，・・・１Ｎと、前記複数の前処理部１１，１２，・・・１Ｎのそれぞれの後段にあって、プロトコルのフレームフォーマットに従ったデータの信頼性チェックを少なくとも実行する複数のチェック部２１，２２，・・・２Ｎと、複数のチェック部２１，２２，・・・２Ｎの後段にあって、チェック部で処理されたデータを蓄積する複数のバッファ部３１，３２，・・・３Ｎと、前記複数のチェック部３１，３２，・・・３Ｎにおけるチェック結果を監視すると共に、チェック結果がＯＫであるバッファ部のデータを選択して出力するデータセレクタ４とを具備している。
【００２２】
すなわち、通信伝送路から受信ＩＣ２００を介して取得されたデジタル信号は、その後段に互いに並列に設けられたＮ台の前処理部１１，１２，・・・１Ｎへと受け渡される。この前処理部１１，１２，・・・１Ｎに含まれるフィルタリング機能を実現するためのフィルタ回路は、先に図９および図１０を参照して説明したものとほぼ同一である。第１前処理部１１，第２前処理部１２，・・・第Ｎ前処理部１Ｎのそれぞれで処理されたデータは、それぞれの後段に配置された第１チェック部２１，第２チェック部２２，・・・第Ｎチェック部２Ｎへと送られる。これらのチェック部２１，２２，・・・２Ｎでは、スタート検出、ＣＲＣ、パリティ、ストップ、符号則など、プロトコルのフレームフォーマットに従ったデータの信頼性チェックが行われる他、伝送路符号化した場合には、復号化も行われる。
【００２３】
第１チェック部２１，第２チェック部２２，・・・第Ｎチェック部２Ｎのそれぞれで処理されたデータは、その後、さらにそれぞれの後段に配置された第１バッファ３１，第２バッファ３２，・・・第Ｎバッファ３Ｎへと受け渡され、一旦ここに蓄積される。
【００２４】
しかる後、第１バッファ３１，第２バッファ３２，・・・第Ｎバッファ３Ｎのそれぞれに蓄積されたデータは、どのバッファのデータを使用するか、データセレクタにより選択されて、データを使用する処理回路（図示せず）に受け渡される。
【００２５】
データセレクタ４では、各フィルタ後のチェック結果（チェック結果信号Ｓ１１，Ｓ１２，・・・Ｓ１Ｎ）を監視して、どのバッファにバッファリングされたデータを後段へ渡すかを選択する。どのバッファのデータを渡す（使用する）かは、チェック結果により選択される。チェック結果がＯＫのものが１つの場合にはそのデータが選択され、複数がＯＫである場合には、どのデータを使用してもよい。
【００２６】
ここで、複数がＯＫである場合には、フィルタ１〜Ｎのデータに優先順位をつけておいて、高順位のもののデータを選択して使用することもできる。バッファに蓄積された、どのデータを使用するかも選択可能である。データセレクタ４は、スタートチェックのみでデータを使用開始することもできる。
【００２７】
マンチェンスタ、ｘＢｙＢ、ｎ回連続反転挿入などのような伝送路符号化を行っているような場合には、チェック部２１，２２，・・・２Ｎで伝送路符号化に従った符号則チェックを行い、何回チェックしたらデータを使用し始めるかあらかじめ決めておき、それによってデータを使用開始するようにしてもよい。
【００２８】
スタートチェック、符号則チェックでのデータ使用開始をする場合には、１つのフレームの全データを一旦バッファにスタックしなくてもよいため、リピータのような波形整形装置が、データを次のメディアに送出する場合、ＣＲＣやパリティ、ストップなどの１つのフレームを最後尾までのチェックに比べて遅延が少なく送出することができる。それにより、リピータのような波形整形装置を使用したネットワークでも、データ伝達時間を遅くさせることなくデータの信頼性をあげることができる。
【００２９】
データセレクタで採用するデータの優先順位を制御回路や外部のマイコンなどからの設定式としておき、フレームを受信してテストを行い、チェック結果を監視して、最も信頼性の高いフィルタのデータを採用するように設定することもできる。
【００３０】
優先順位設定式の場合には、設定された以外のフィルタ〜バッファ回路へのクロック供給を停止し、実装されたＩＣの消費電流を抑えながらも、最適なフィルタ回路を使用することもできる。また、優先順位設定中もクロック供給停止機能とあわせて、１つのフィルタ回路ずつを切替動作させて、フィルタ〜バッファ１回路のみと同等の消費電流を実現することもできる。（動作的には、並列に並べた回路が停止しているため、従来技術のような１つの回路での動作と類似となる。）
【００３１】
伝送路符号化チェックをしていて、フレーム最後部のチェックをする前にデータを使用している場合、複数回路が受信成立していると、高順位のデータを使用するが、高順位のフィルタによるデータがチェックエラーを起こした場合に、シリアルデータの途中から低順位で受信成立しているフィルタのデータに切り替えることにより、受信を続けることもできる。
【００３２】
本発明装置の構成図（第２実施形態）が図２に示されている。図２と図１の相違点は、第１チェック部２１，第２チェック部２２，・・・第Ｎチェック部２Ｎからそれぞれ生成される受信状態信号（異常または正常）をカウントする受信状態カウンタ５１，５２，・・・５Ｎを設け、それらのカウンタから得られるカウント信号Ｓ３１，Ｓ３２，・・・Ｓ３Ｎをデータセレクタに優先順位を設定する監視設定部へと送り、それらカウント結果に基づいて、データセレクタにおける優先順位を再設定するようにした点にある。
【００３３】
本発明の受信データ補償装置１００は、ＰＬＣシステムを構成する様々な受信機器に組み込むことができる。
【００３４】
本発明装置が組み込まれたマスタユニット（またはスレーブユニット）の構成図が図３に示されている。同図に示されるように、この例にあっては、マスタユニット６またはスレーブユニット７に、本発明の受信データ補償装置１００が組み込まれている。より詳細には、マスタユニット６またはスレーブユニット７は、物理層を構成する受信ＩＣ２００と、受信ＩＣ２００から得られた受信データを処理するマスタユニット用またはスレーブユニット用のＩＣ３００と、このＩＣ３００を制御する装置４００とを含んでいる。装置４００は、ＭＰＵなどフィルタ回路を選択または設定する機能を有するものであって、この装置４００によって、マスタまたはスレーブとしての機能を実現するＩＣ３００が制御される。そして、このＩＣ３００の入力段に本発明に係る受信データ補償装置１００が組み込まれる。この受信データ補償装置１００の具体的構成については、先に図１および図２を参照して説明したものが使用可能である。
【００３５】
次に、本発明装置が組み込まれたリピータの構成図が図４に示されている。この例にあっては、リピータ８は、それぞれ物理層として機能する上位側送受信ＩＣ２０１Ａと下位側送受信ＩＣ２０１Ｂとを有する。それらＩＣは上位側通信回線ならびに下位側通信回線へと接続されている。
【００３６】
装置５００は、ＡＳＩＣなど本発明の技術が実装されたＩＣで構成することができ、この装置の内部には、それぞれ受信データの入力段に対応させて、本発明装置１００がそれぞれ組み込まれている。すなわち、上位側送受信ＩＣから取得された受信データの入力段には本発明装置１００が、また下位側送受信ＩＣ２０１Ｂから得られる受信データの入力段には本発明装置１００がやはり同様にして設けられている。これらの２台の本発明装置１００は、送受信制御回路５０１によって制御され、この送受信制御回路５０１はＭＰＵインタフェース回路５０２を介して、ＭＰＵ１００によって制御される。このような構成を採用することによって、リピータの機能を実現しつつも、受信データに対する冗長性を向上させて、様々な通信媒体あるいは配線形態への適用を可能とするのである。
【００３７】
次に、ＰＬＣシステムを構成する配線系統図（その１）が図５に示されている。図において６はマスタユニット、７はスレーブユニット、９ａはブランチ（分岐）、９ｂは終端抵抗である。このような様々な配線形態ならびに伝送媒体が混在するような伝送路であっても、マスタユニット６、スレーブユニット７のそれぞれに本発明に係る装置１００を組み込んでおけば、伝送媒体や配線形態の如何に拘わらず、何ら仕様変更を行うことなく、適用が可能となるのである。
【００３８】
次に、ＰＬＣシステムを構成する配線系統図（その２）が図６に示されている。図において、６はマスタユニット、７はスレーブユニット、８はリピータ、９ａはブランチ、９ｂは終端抵抗である。このように様々な伝送媒体並びに配線形態を含む通信システムにおいても、マスタユニット６、スレーブユニット７のみならず、リピータ８にも本発明に係る装置１００を組み込むことによって、システム適合性が向上するわけである。
【００３９】
最後に、図７には、マスタユニットおよびスレーブユニットを含むＰＬＣシステムのより具体的な構成図が示されている。図において、７０はパソコン、６０はＰＬＣ、６はマスタユニット、６１はＣＰＵユニット、７はスレーブユニット、８はリピータ、９ｂは終端抵抗である。このような複雑な配線形態ならびに複雑な伝送媒体を含むであろうシステムであっても、本発明装置１００をマスタユニット６、スレーブユニット７、リピータ８に組み込むことによって、通信経路に対する汎用性を著しく向上させることができる。
【産業上の利用可能性】
【００４０】
以上述べたように、本発明によれば、物理層を構成する受信回路から得られた受信データは、その出力側に互いに並列に設けられ、かつそれぞれ特性の異なるフィルタリング機能ならびにサンプリング機能を有する複数の前処理部によって同時に処理されるため、伝送路の品質や配線形態がいかなるものであっても、その特性にいずれかの処理系が適合することによって、１台の受信処理装置であっても、様々な品質の伝送媒体ならびに配線形態の適合が可能となり、この種の受信装置の使い勝手が向上する。
【図面の簡単な説明】
【００４１】
【図１】本発明装置の構成図（第１実施形態）である。
【図２】本発明装置の構成図（第２実施形態）である。
【図３】本発明装置が組み込まれたマスタユニット（又はスレーブユニット）の構成図である。
【図４】本発明装置が組み込まれたリピータの構成図である。
【図５】ＰＬＣシステムを構成する配線系統図（その１）である。
【図６】ＰＬＣシステムを構成する配線系統図（その２）である。
【図７】マスタユニット及びスレーブユニットを含むＰＬＣシステムのより具体的な構成図である。
【図８】従来装置の構成図である。
【図９】サンプリング回路の一例を示す図である。
【図１０】サンプリング回路のデータ修復特性を示す説明図である。
【符号の説明】
【００４２】
１  前処理部
２  チェック部
４  データセレクタ
６  マスタユニット
７  スレーブユニット
８  リピータ
９ａ  ブランチ
９ｂ  終端
６０  ＰＬＣ
６１  ＣＰＵユニット
７０  パソコン
１００  受信データ補償装置
２００  受信ＩＣ
２０１Ａ  上位側送受信ＩＣ
２０１Ｂ  下位側送受信ＩＣ
１１，１２，１Ｎ  前処理部
２１，２２，２Ｎ  チェック部
３１，３２，３Ｎ  バッファ
５１，５２，５Ｎ  受信状態カウンタ
Ｓ１１，Ｓ１２，Ｓ１Ｎ  チェック結果信号
Ｓ３１，Ｓ３２，Ｓ３Ｎ  カウント信号
ＤＦＦ１〜５
ＳＥＬ１〜２
【図１】
2006287665.tif 000003
【図２】
2006287665.tif 000004
【図３】
2006287665.tif 000005
【図４】
2006287665.tif 000006
【図５】
2006287665.tif 000007
【図６】
2006287665.tif 000008
【図７】
2006287665.tif 000009
【図８】
2006287665.tif 000010
【図９】
2006287665.tif 000011
【図１０】
2006287665.tif 000012